(57)【要約】【課題】加工処理によって発生する加工屑に含まれる機密情報の漏えいを防止できる用紙処理装置、用紙処理方法および制御プログラムを提供する。【解決手段】本発明の用紙処理装置は、用紙加工手段１６１と、制御手段１７と、を有する。用紙加工手段１６１は、用紙Ｓを加工する。制御手段１７は、用紙Ｓが用紙加工手段１６１によって加工されたときに発生する加工屑に機密情報が含まれると判断された場合、上記加工屑を所定の排出先に排出し、上記加工屑に機密情報が含まれないと判断された場合、上記加工屑を他の排出先に排出するように制御する。【選択図】図２
2015066652.tif 000002
【特許請求の範囲】
【請求項１】
用紙を加工する用紙加工手段と、
前記用紙が前記用紙加工手段によって加工されたときに発生する加工屑に機密情報が含まれると判断された場合、前記加工屑を所定の排出先に排出し、前記加工屑に機密情報が含まれないと判断された場合、前記加工屑を他の排出先に排出するように制御する制御手段と、
を有する、用紙処理装置。
【請求項２】
機密情報を含む加工屑が前記所定の排出先に排出された場合、その旨を報知する報知手段をさらに有することを特徴とする請求項１に記載の用紙処理装置。
【請求項３】
前記報知手段は、
機密情報を含む加工屑が前記所定の排出先に排出されたことを表示する表示手段を備えることを特徴とする請求項２に記載の用紙処理装置。
【請求項４】
前記加工屑を収容する加工屑収容手段をさらに有し、
前記加工屑収容手段は、
前記所定の排出先として、機密情報を含む加工屑を収容する機密加工屑収容部と、
前記他の排出先として、機密情報を含まない加工屑を収容する通常加工屑収容部と、
を備えることを特徴とする請求項１〜３のいずれか１項に記載の用紙処理装置。
【請求項５】
前記用紙加工手段は、前記用紙の辺を断裁することを特徴とする請求項１〜４のいずれか１項に記載の用紙処理装置。
【請求項６】
前記加工屑収容手段は、機密情報を含む加工屑が前記所定の排出先に排出される前に当該加工屑を裁断する加工屑裁断手段を備えることを特徴とする請求項４または５に記載の用紙処理装置。
【請求項７】
前記用紙加工手段は、前記用紙にパンチ穴を開けることを特徴とする請求項１〜４のいずれか１項に記載の用紙処理装置。
【請求項８】
用紙を供給する用紙供給手段と、
供給された前記用紙に画像形成する画像形成手段と、
をさらに有することを特徴とする請求項１〜７のいずれか１項に記載の用紙処理装置。
【請求項９】
前記制御手段は、
印刷ジョブを受信する通信Ｉ／Ｆ部をさらに備え、
前記印刷ジョブに含まれる機密文書パラメーターがオンか、あるいはオフかに基づいて、前記加工屑に機密情報が含まれるか否かを判断することを特徴とする請求項１〜８のいずれか１項に記載の用紙処理装置。
【請求項１０】
前記制御手段は、
印刷ジョブを受信する通信Ｉ／Ｆ部をさらに備え、
前記印刷ジョブに含まれる機密モジュール情報に基づいて、前記加工屑に機密情報が含まれるか否かを判断することを特徴とする請求項１〜８のいずれか１項に記載の用紙処理装置。
【請求項１１】
用紙を加工する段階と、
前記用紙が加工されたときに発生する加工屑に機密情報が含まれると判断された場合、前記加工屑を所定の排出先に排出し、前記加工屑に機密情報が含まれないと判断された場合、前記加工屑を他の排出先に排出するように制御する段階と、
を有する、用紙処理方法。
【請求項１２】
機密情報を含む加工屑が前記所定の排出先に排出された場合、その旨を報知する段階をさらに有することを特徴とする請求項１１に記載の用紙処理方法。
【請求項１３】
機密情報を含む加工屑が前記所定の排出先に排出される前に当該加工屑を裁断する段階をさらに有することを特徴とする請求項１１または１２に記載の用紙処理方法。
【請求項１４】
前記加工する段階では、
前記用紙の辺を断裁することを特徴とする請求項１１〜１３のいずれか１項に記載の用紙処理方法。
【請求項１５】
前記制御する段階では、
印刷ジョブに含まれる機密文書パラメーターがオンか、あるいはオフかに基づいて、前記加工屑に機密情報が含まれるか否かを判断することを特徴とする請求項１１〜１４のいずれか１項に記載の用紙処理方法。
【請求項１６】
前記制御する段階は、
印刷ジョブに含まれる機密情報モジュール情報に基づいて、前記加工屑に機密情報が含まれるか否かを判断することを特徴とする請求項１１〜１４のいずれか１項に記載の用紙処理方法。
【請求項１７】
用紙処理装置に請求項１１〜１６のいずれか１項に記載の用紙処理方法を実行させるように構成される、制御プログラム。
【請求項１８】
請求項１７に記載の制御プログラムを記録したコンピューター読み取り可能な記録媒体。
【発明の詳細な説明】
【技術分野】
【０００１】
本発明は、用紙処理装置、用紙処理方法および制御プログラムに関する。
【背景技術】
【０００２】
製本加工では、製品としての本の見栄えを良くするため、本のページとなる各用紙の辺を断裁してきれいに切り揃える断裁処理が実施されることが多い。通常実施される断裁処理としては、たとえば、用紙の辺のうち、本の背となる辺と反対側の一辺のみを断裁する小口断裁処理や、本の背となる辺以外の三辺を断裁する三方断裁処理が一般に知られている。
【０００３】
このような断裁処理を一般的な印刷システムで実施する場合、印刷装置で印刷された用紙は、断裁部を有する後処理装置に搬送されて断裁される。そして、断裁された用紙は、後処理装置の排紙トレイに排紙される。このとき、後処理装置の断裁部では、用紙が断裁される際に断裁屑が発生し、当該断裁屑は回収ボックスに排出される（たとえば、下記特許文献１を参照）。特許文献１には、シート束の綴じ部と対向する辺を切り揃えるシート後処理装置が開示されている。当該シート後処理装置では、シート束が断裁される際、断裁された短冊状の断裁屑をそのまま回収ボックスに排出すると回収ボックス内で嵩張るので、回収ボックスに排出する前に嵩を小さくするためシート束を切り揃える断裁方向とは異なる方向にさらに裁断する。
【０００４】
一方、これに関連して、機密情報が印刷された用紙が断裁処理などによって加工処理された場合、加工処理で発生する加工屑に機密情報が含まれる可能性がある。特許文献１のシート後処理装置では、シート束を切り揃える断裁方向とは異なる方向にさらに裁断して断裁屑を小さくするので、断裁屑に機密情報が含まれていたとしても、機密情報の漏えいがある程度抑制されると考えられる。
【０００５】
しかしながら、特許文献１のシート後処理装置のように、シート束の断裁屑をさらに裁断しても、共用の回収ボックスに排出したのでは、万が一断裁屑が他者によって収集された場合、断裁屑に含まれる機密情報を読み取られて機密情報が漏えいするおそれがある。
【先行技術文献】
【特許文献】
【０００６】
【特許文献１】特開２００４−１６０５９８号公報
【発明の概要】
【発明が解決しようとする課題】
【０００７】
本発明は、上記問題に鑑みてなされたものである。したがって、本発明の目的は、用紙の加工処理によって発生する加工屑に含まれる機密情報の漏えいを防止できる用紙処理装置、用紙処理方法および制御プログラムを提供することである。
【課題を解決するための手段】
【０００８】
本発明の上記目的は、下記によって達成される。
【０００９】
（１）用紙を加工する用紙加工手段と、前記用紙が前記用紙加工手段によって加工されたときに発生する加工屑に機密情報が含まれると判断された場合、前記加工屑を所定の排出先に排出し、前記加工屑に機密情報が含まれないと判断された場合、前記加工屑を他の排出先に排出するように制御する制御手段と、を有する、用紙処理装置。
【００１０】
（２）機密情報を含む加工屑が前記所定の排出先に排出された場合、その旨を報知する報知手段をさらに有することを特徴とする上記（１）に記載の用紙処理装置。
【００１１】
（３）前記報知手段は、機密情報を含む加工屑が前記所定の排出先に排出されたことを表示する表示手段を備えることを特徴とする上記（２）に記載の用紙処理装置。
【００１２】
（４）前記加工屑を収容する加工屑収容手段をさらに有し、前記加工屑収容手段は、前記所定の排出先として、機密情報を含む加工屑を収容する機密加工屑収容部と、前記他の排出先として、機密情報を含まない加工屑を収容する通常加工屑収容部と、を備えることを特徴とする上記（１）〜（３）のいずれか１つに記載の用紙処理装置。
【００１３】
（５）前記用紙加工手段は、前記用紙の辺を断裁することを特徴とする上記（１）〜（４）のいずれか１つに記載の用紙処理装置。
【００１４】
（６）前記加工屑収容手段は、機密情報を含む加工屑が前記所定の排出先に排出される前に当該加工屑を裁断する加工屑裁断手段を備えることを特徴とする上記（４）または（５）に記載の用紙処理装置。
【００１５】
（７）前記用紙加工手段は、前記用紙にパンチ穴を開けることを特徴とする上記（１）〜（４）のいずれか１つに記載の用紙処理装置。
【００１６】
（８）用紙を供給する用紙供給手段と、供給された前記用紙に画像形成する画像形成手段と、をさらに有することを特徴とする上記（１）〜（７）のいずれか１つに記載の用紙処理装置。
【００１７】
（９）前記制御手段は、印刷ジョブを受信する通信Ｉ／Ｆ部をさらに備え、前記印刷ジョブに含まれる機密文書パラメーターがオンか、あるいはオフかに基づいて、前記加工屑に機密情報が含まれるか否かを判断することを特徴とする上記（１）〜（８）のいずれか１つに記載の用紙処理装置。
【００１８】
（１０）前記制御手段は、印刷ジョブを受信する通信Ｉ／Ｆ部をさらに備え、前記印刷ジョブに含まれる機密モジュール情報に基づいて、前記加工屑に機密情報が含まれるか否かを判断することを特徴とする上記（１）〜（８）のいずれか１つに記載の用紙処理装置。
【００１９】
（１１）用紙を加工する段階と、前記用紙が加工されたときに発生する加工屑に機密情報が含まれると判断された場合、前記加工屑を所定の排出先に排出し、前記加工屑に機密情報が含まれないと判断された場合、前記加工屑を他の排出先に排出するように制御する段階と、を有する、用紙処理方法。
【００２０】
（１２）機密情報を含む加工屑が前記所定の排出先に排出された場合、その旨を報知する段階をさらに有することを特徴とする上記（１１）に記載の用紙処理方法。
【００２１】
（１３）機密情報を含む加工屑が前記所定の排出先に排出される前に当該加工屑を裁断する段階をさらに有することを特徴とする上記（１１）または（１２）に記載の用紙処理方法。
【００２２】
（１４）前記加工する段階では、前記用紙の辺を断裁することを特徴とする上記（１１）〜（１３）のいずれか１つに記載の用紙処理方法。
【００２３】
（１５）前記制御する段階では、印刷ジョブに含まれる機密文書パラメーターがオンか、あるいはオフかに基づいて、前記加工屑に機密情報が含まれるか否かを判断することを特徴とする上記（１１）〜（１４）のいずれか１つに記載の用紙処理方法。
【００２４】
（１６）前記制御する段階は、印刷ジョブに含まれる機密情報モジュール情報に基づいて、前記加工屑に機密情報が含まれるか否かを判断することを特徴とする上記（１１）〜（１４）のいずれか１つに記載の用紙処理方法。
【００２５】
（１７）用紙処理装置に上記（１１）〜（１６）のいずれか１つに記載の用紙処理方法を実行させるように構成される、制御プログラム。
【００２６】
（１８）上記（１７）に記載の制御プログラムを記録したコンピューター読み取り可能な記録媒体。
【発明の効果】
【００２７】
本発明によれば、機密情報を含まない加工屑の排出先とは異なる所定の排出先に機密情報を含む加工屑が排出されるので、ユーザーは機密情報を含む加工屑を持ち帰ることができる。その結果、機密情報の漏えいが未然に防止される。
【図面の簡単な説明】
【００２８】
【図１】本発明の第１の実施形態の用紙処理装置の外観図である。
【図２】図１に示す用紙処理装置の全体構成を示す概略ブロック図である。
【図３Ａ】小口断裁処理の一例を説明するための模式図である。
【図３Ｂ】三方断裁処理の一例を説明するための模式図である。
【図４】図２に示す断裁部および断裁屑収容部の一例を示す模式図である。
【図５】本発明の第１の実施形態における用紙処理方法を説明するためのフローチャートである。
【図６Ａ】印刷ジョブ情報の一例を説明するための図表である。
【図６Ｂ】印刷ページ情報および当該印刷ページ情報に対応する印刷画像データの一例を示す図表である。
【図７】本発明の第１の実施形態の機密文書について説明するための模式図である。
【図８Ａ】本発明の第１の実施形態において機密断裁屑収容部に断裁屑が排出された場合に表示されるメッセージの一例である。
【図８Ｂ】本発明の第１の実施形態において通常断裁屑収容部に断裁屑が排出された場合に表示されるメッセージの一例である。
【図９Ａ】本発明の第２の実施形態における用紙処理方法を説明するためのフローチャートである。
【図９Ｂ】図９Ａに後続するフローチャートである。
【図１０】本発明の第２の実施形態の機密モジュール情報について説明するための模式図である。
【図１１】本発明の第２の実施形態の印刷ページ情報、当該印刷ページ情報に対応する印刷画像データおよび機密モジュール情報の一例を示す図表である。
【図１２Ａ】本発明の第３の実施形態の後処理部の概略ブロック図である。
【図１２Ｂ】図１２Ａに示す断裁部および断裁屑収容部の機能を説明するための模式図である。
【図１３】本発明の第３の実施形態における用紙処理方法を説明するためのフローチャートである。
【図１４Ａ】本発明の第４の実施形態における用紙処理方法を説明するためのフローチャートである。
【図１４Ｂ】図１４Ａに後続するフローチャートである。
【発明を実施するための形態】
【００２９】
以下、添付した図面を参照して本発明の表示装置、表示方法および表示プログラムの実施形態を説明する。なお、図中、同一の部材には同一の符号を用いた。
【００３０】
（第１の実施形態）
図１は本発明の第１の実施形態の用紙処理装置の外観図であり、図２は図１に示す用紙処理装置の全体構成を示す概略ブロック図である。また、図３Ａは小口断裁処理の一例を説明するための模式図であり、図３Ｂは三方断裁処理の一例を説明するための模式図である。また、図４は図２に示す断裁部および断裁屑収容部の一例を示す模式図である。
【００３１】
図１および図２に示すように、本実施形態の用紙処理装置１は、ＡＤＦ（Ａｕｔｏ  Ｄｏｃｕｍｅｎｔ  Ｆｅｅｄｅｒ）１０、画像読取部１１、画像形成部１２、給紙部１３、用紙搬送部１４、操作表示部１５、後処理部１６および制御部１７を有する。ＡＤＦ１０、画像読取部１１、画像形成部１２、給紙部１３、用紙搬送部１４、操作表示部１５および後処理部１６は、制御部１７に各々電気的に接続されている。
【００３２】
ＡＤＦ１０は、原稿台の原稿用紙を自動的に画像読取部１１へ供給する。原稿台には単数もしくは複数枚の原稿用紙を載置することができ、原稿用紙は、原稿台から自動的に画像読取部１１へ１枚ずつ供給される。
【００３３】
画像読取部１１は、原稿を光学的に読取り、画像データ信号を生成する。画像読取部１１は、光源、光学系、イメージセンサー、およびアナログ・ディジタル変換回路を有する。画像読取部１１において、光源は、（Ｒ，Ｇ，Ｂ）各色の光を原稿に順次照射する。光学系は、複数のミラーおよび結像レンズを有しており、原稿からの反射光は光学系のミラーおよび結像レンズを通じてイメージセンサーに結像される。イメージセンサーは、（Ｒ，Ｇ，Ｂ）各色に対応する反射光をラインごとに読取り、原稿からの反射光強度に応じて電気信号を生成する。生成された電気信号は、アナログ・ディジタル変換回路において、アナログ信号からディジタル信号に変換されたのち、制御部１７により各種の画像処理が施される。当該画像処理としては、たとえば、シェーディング補正、γ補正、ライン間補正、色ずれ補正、拡大・縮小処理、色変換処理などが挙げられる。処理された画像データは、画像形成部１２によって印刷可能な印刷画像データとして制御部１７のメモリ１７１またはＨＤＤ１７２に保存される。なお、上記画像処理に使用されるソフトウェアプログラムもＨＤＤ１７２に格納されている。
【００３４】
画像形成部１２は、画像形成手段として、電子写真プロセス、静電記録方式などで画像を形成し、形成された画像を記録媒体としての用紙Ｓに定着する。具体的には、画像形成部１２は、メモリ１７１またはＨＤＤ１７２に記憶された印刷画像データに基づいて、レーザ、ＬＥＤなどの発光素子で感光体に光を当てて静電潜像を形成する。そして、感光体を帯電させ、上記静電潜像にトナーを付着させたのち用紙Ｓに転写する。用紙Ｓは、給紙部（用紙供給手段）１３によって給紙され、用紙搬送部１４によって画像形成部１２に搬送される。転写された用紙Ｓは、搬送ベルトで定着器に搬送され、用紙Ｓに転写されたトナーを加熱および加圧することにより溶着する。トナーが溶着されて画像が形成された用紙Ｓは、後処理装部１６に搬送される。
【００３５】
操作表示部１５は、操作手段として、各種設定をするための操作を受け付けるとともに、表示手段として、各種設定状況、処理結果、警告などを表示する。操作表示部１５は、タッチパネルディスプレイを備え、操作受付と表示とを平行して処理できる構成となっている。なお、この操作受付機能は、タッチパネルディスプレイに限らず、操作キーや操作ボタンなどにより提供されてもよい。また、タッチパネルディスプレイとは別に、警告などを表示するための液晶表示装置、ＬＥＤ表示装置、ＬＥＤランプなどを備えていてもよい。
【００３６】
後処理部１６は、画像形成部１２で画像形成および定着された用紙Ｓに対して、ユーザーの希望するフィニッシング処理を実施して用紙処理装置１の外部に出力する。フィニッシング処理としては、たとえばパンチ処理、ステープル処理、製本加工処理などが挙げられる。本実施形態では、製本加工処理として、とくに用紙Ｓを断裁する場合について述べる。後処理装部１６は、断裁部１６１、断裁屑収容部１６２、製本出力部１６３、およびサブ出力部１６４を有する。
【００３７】
断裁部１６１は、加工手段として、画像が形成された用紙Ｓを断裁することにより加工する。図３Ａおよび図３Ｂに示すように、断裁部１６１は、たとえば小口断裁処理または三方断裁処理を実施することができる。断裁部１６１は、用紙Ｓを一枚ずつ断裁するように構成されてもよいし、用紙束を一括して断裁するように構成されてもよい。
【００３８】
小口断裁処理では、本の背となる辺と反対側の一辺が小口断裁幅（１）で断裁される。一方、三方断裁では、本の背となる辺以外の三辺が断裁される。本の背となる辺と反対側の一辺は三方断裁幅（１）で断裁され、他の二辺は三方断裁幅（２）および（３）で各々断裁される。以下、本明細書では、本の背となる辺と反対側の一辺を断裁することをトリム、他の二辺を断裁することをスリッターと称する。
【００３９】
なお、小口断裁幅（１）および三方断裁幅（１）〜（３）は、クライアントＰＣのプリンタードライバーで設定され、印刷ジョブ情報を参照することにより取得できる。
【００４０】
断裁部１６１は、用紙Ｓを断裁して発生した断裁屑（加工屑）を排出口Ｅから断裁屑収容部１６２に向けて排出する。本実施形態では、図４に示すように、断裁部１６１は、断裁屑収容部１６２の上部に位置し、断裁屑は自重によって断裁屑収容部１６２に向けて落下して排出される。
【００４１】
断裁屑収容部１６２は、断裁部１６１から排出された断裁屑を受け入れて蓄積する。断裁屑収容部１６２は、機密断裁屑収容部１６２１、通常断裁屑収容部１６２２、および回収駆動部１６２３を備える。
【００４２】
機密断裁屑収容部１６２１は、機密情報を含む加工屑ＳＣ１を収容し、通常断裁屑収容部１６２２は、機密情報を含まない加工屑ＳＣ２を収容する。機密断裁屑収容部１６２１および通常断裁屑収容部１６２２は、各々ボックス状の容器を備える。
【００４３】
回収駆動部１６２３は、制御部１７の指示にしたがって、機密断裁屑収容部１６２１および通常断裁屑収容部１６２２を移動させて、断裁部１６１と機密断裁屑収容部１６２１および通常断裁屑収容部１６２２との相対的な位置関係を変更する。本実施形態では、回収駆動部１６２３は、機密断裁屑収容部１６２１および通常断裁屑収容部１６２２を断裁部１６１の下部においてスライド（紙面の左右方向に移動）させる。それにより、機密断裁屑収容部１６２１および通常断裁屑収容部１６２２のいずれか一方が断裁部１６１の排出口Ｅの直下に位置し、断裁部１６１の排出先が切り替わる。なお、断裁部１６１の排出先の切り替えは、機密断裁屑収容部１６２１および通常断裁屑収容部１６２２をスライドさせる場合に限定されない。たとえば、断裁部１６１から断裁屑を排出する通路を機密断裁屑収容部１６２１および通常断裁屑収容部１６２２に合わせて移動させてもよい。また、機密断裁屑収容部１６２１および通常断裁屑収容部１６２２を回転移動させることにより、断裁部１６１と機密断裁屑収容部１６２１および通常断裁屑収容部１６２２との相対的な位置関係を変更して、断裁部１６１の排出先を切り替えてもよい。
【００４４】
本実施形態では、ユーザーは、用紙処理装置１の前面の収容部引出口（不図示）から機密断裁屑収容部１６２１および通常断裁屑収容部１６２２を引き出して、中に蓄積された断裁屑ＳＣ１，ＳＣ２を取り出せる。なお、上記収容部引出口を１つだけ用意して機密断裁屑収容部１６２１および通常断裁屑収容部１６２２で共通に使用してもよいし、あるいは上記収容部引出口を２つ用意して別々に使用してもよい。共通の収容部引出口を使用する場合は、後処理部１６の内部で機密断裁屑収容部１６２１および通常断裁屑収容部１６２２をスライド（紙面の左右方向に移動）させることにより、いずれか一方を引き出すことができる。
【００４５】
また、機密断裁屑収容部１６２１は、印刷を実行したユーザー以外が、断裁屑ＳＣ１を取り出すための扉を開けることができないように扉をロックするロック機構を備えていてもよい。
【００４６】
なお、用紙Ｓは、断裁処理に加えて、「綴じ」、「折り」といった製本加工の処理を経て製本される。これらの処理については、従来と同様のため説明を省略する。
【００４７】
製本出力部１６３は、製本された用紙束ＳＥ１を用紙処理装置１の外部に出力する。一方、サブ出力部１６４は、製本されていない用紙束ＳＥ２を用紙処理装置１の外部に出力する。
【００４８】
制御部１７は、制御手段として、ＡＤＦ１０、画像読取部１１、画像形成部１２、給紙部１３、用紙搬送部１４、操作表示部１５、および後処理部１６を制御する。制御部１７は、メモリ１７１、ＨＤＤ１７２、通信Ｉ／Ｆ（Ｉｎｔｅｒｆａｃｅ）部１７３、およびＣＰＵ１７４を有する。メモリ１７１、ＨＤＤ１７２、通信Ｉ／Ｆ部１７３、およびＣＰＵ１７４は、内部バス１７５によって相互に電気的に接続されている。
【００４９】
メモリ１７１は、画像読取部１１によって読み取られた原稿の画像データ、通信Ｉ／Ｆ部１７３を介して受信された印刷ジョブ、印刷画像データ、ソフトウェアプログラム、演算処理結果、ＨＤＤ１７２上の各種データなどを一時的に記憶する。
【００５０】
ＨＤＤ１７２は、用紙処理装置１の動作を制御する制御プログラムやＯＳ（Ｏｐｅｒａｔｉｎｇ  Ｓｙｓｔｅｍ）を含む各種ソフトウェアプログラム、印刷画像データ、用紙処理装置１の処理機能に関する情報など各種データを格納する。
【００５１】
通信Ｉ／Ｆ部１７３は、サーバ、クライアントＰＣ（Ｐｅｒｓｏｎａｌ  Ｃｏｍｐｕｔｅｒ）、他の装置などとネットワーク接続を確立し、各種データを送受信する。本実施形態では、通信Ｉ／Ｆ部１７３は、たとえばクライアントＰＣで生成された印刷ジョブを受信して、受信データをメモリ１７１に送信する。
【００５２】
以下、本明細書では、クライアントＰＣで生成された印刷ジョブに基づいて印刷する場合をプリンターモード、画像読取部１１で読み取った画像データに基づいて印刷する場合をコピーモードと称する。
【００５３】
ＣＰＵ１７４は、上記各種ソフトウェアプログラムを実行することにより用紙処理装置１の動作を制御する。とくに、本実施形態では、上記制御プログラムは、ＣＰＵ１７４が用紙処理方法を実行させるように構成されている。
【００５４】
以下、図５〜図８Ｂを参照して、本実施形態の用紙処理方法について説明する。図５は、本発明の第１の実施形態における用紙処理方法を説明するためのフローチャートである。また、図６Ａは本実施形態の印刷ジョブ情報の一例を説明するための図表であり、図６Ｂは印刷ページ情報および当該印刷ページ情報に対応する印刷画像データの一例を示す図表である。
【００５５】
また、図７は本実施形態の機密文書について説明するための模式図である。図７において、斜線の部分が機密情報であり、文書の全ページの全面に機密情報を含むことが示されている。
【００５６】
さらに、図８Ａは本実施形態において機密断裁屑収容部に断裁屑が排出された場合に表示されるメッセージの一例であり、図８Ｂは通常断裁屑収容部に断裁屑が排出された場合に表示されるメッセージの一例である。
【００５７】
図５に示すように、まず、印刷ジョブを受信したか否かを判断する（ステップＳ１０１）。用紙処理装置１は、プリンターモードの場合、通信Ｉ／Ｆ部１７３を介してネットワークから印刷ジョブを受信する。印刷ジョブは、印刷ジョブ情報、印刷ページ情報、および印刷データを含む。プリンターモードでは、印刷データに基づいて印刷画像データが生成される。また、コピーモードの場合、印刷ジョブ情報および印刷ページ情報は、操作表示部１５を通じて入力される。印刷画像データは、画像読取部１１によって原稿が読み込まれて生成された画像データに基づいて生成される。以下、本明細書では、クライアントＰＣで生成された印刷ジョブに基づいて印刷する場合に加えて、画像読取部１１で読み取った画像データに基づいて印刷する場合についても、印刷すべきジョブを総じて「印刷ジョブ」と称する。
【００５８】
印刷ジョブを受信していない場合（ステップＳ１０１：ＮＯ）、印刷ジョブを受信するまで待機する。
【００５９】
一方、印刷ジョブを受信した場合（ステップＳ１０１：ＹＥＳ）、制御部１７は、印刷ジョブ情報を解析する（ステップＳ１０２）。図６Ａに示すように、印刷ジョブ情報において、表の左側の欄にはパラメーター名が記載され、右側の欄にはその設定値が記載されている。印刷ジョブ情報には、ジョブＩＤ、ジョブ種類、後処理の種類などの印刷に関する情報が含まれている。本実施形態では、「機密文書」パラメーターが「オン」に設定されており、図７に示すように、「機密文書」パラメーターが「オン」に設定されている場合、印刷ジョブの文書の全ページの全面に機密情報を含む。
【００６０】
また、後処理に関して、「三方断裁」パラメーターが「オン」で「三方断裁幅（１）」、「三方断裁幅（２）」、および「三方断裁幅（３）」がそれぞれ「１０ｍｍ」、「２０ｍｍ」、および「１０ｍｍ」に設定されている。
【００６１】
また、図６Ｂに示すように、印刷ページ情報には、「用紙サイズ」、「用紙種類」、「斤量」などページごとの印刷に関する情報が含まれている。本実施形態では、製本加工を実施するため、「排紙トレイ」には「製本」が設定されている。
【００６２】
さらに、「印刷画像データ」は、用紙Ｓに画像形成するためのＹＭＣＫの４色からなる画像のデータである。プリンターモードにおいて、「印刷画像データ」は、通信Ｉ／Ｆ部１７３を介して受信した印刷ジョブに含まれる印刷データに基づいて取得される。また、コピーモードにおいて、「印刷画像データ」は、上述したように、原稿を画像読取部１１で読み取って生成された画像データに必要な画像処理を施した印刷画像データである。
【００６３】
次に、上記印刷ジョブの文書が機密文書か否かを判断する（ステップＳ１０３）。制御部１７は、上記「機密文書」パラメーターがオンか、あるいはオフかに基づいて、上記印刷ジョブの文書が機密文書か否かを判断する。図６Ａに示す例では、「機密文書」パラメーターが「オン」に設定されているので、上記印刷ジョブの文書が機密文書であると判断される。
【００６４】
上記印刷ジョブの文書が機密文書である場合（Ｓ１０３：ＹＥＳ）、断裁処理を実施する（ステップＳ１０４）。本実施形態では、「三方断裁」パラメーターが「オン」であるので、断裁部１６１は、用紙Ｓを１０ｍｍ幅でトリムを実施し、２０ｍｍ幅および１０ｍｍ幅でスリッターを実施する。なお、スリッターで切り取られる範囲の機密情報としては、たとえばページのヘッダーやフッターに記載されるファイル名、ユーザー名などが挙げられる。
【００６５】
次に、断裁屑を機密断裁屑収容部へ排出する（ステップＳ１０５）。上記印刷ジョブの文書は機密文書であり、ページ全体に機密情報を含むので、用紙Ｓが断裁されたときに発生する断裁屑には機密情報が含まれる。本実施形態では、用紙Ｓが断裁部１６１によって断裁されたときに発生する断裁屑に機密情報が含まれると判断された場合、断裁屑を所定の排出先としての機密断裁屑収容部１６２１に排出する。制御部１７は、断裁屑に機密情報が含まれると判断し、断裁屑を機密断裁屑収容部へ排出する。
【００６６】
そして、制御部１７は、以上のステップＳ１０４およびステップＳ１０５の処理を上記文書の１ページから最終ページまで繰り返す。
【００６７】
次に、機密断裁屑収容部に断裁屑が排出された旨を表示する（ステップＳ１０６）。図８Ａに示すように、制御部１７は、操作表示部１５を制御して、機密断裁屑収容部１６２１に断裁屑ＳＣ１が排出された旨をタッチパネルディスプレイの画面に表示させる。より具体的には、たとえば、タッチパネルディスプレイの画面に「機密断裁屑が発生しました。」というメッセージが表示されるとともに、用紙処理装置１のイラストが表示されて機密断裁屑収容部１６２１に対応する部分の色が変化する。たとえば、図８Ａに示す例では、機密断裁屑収容部１６２１に対応する部分の色が白から黒に変化する。したがって、ユーザーは、機密断裁屑収容部１６２１に断裁屑ＳＣ１が排出されたことに気づき、機密断裁屑収容部１６２１を引き出して断裁屑ＳＣ１を持ち帰ることができる。
【００６８】
なお、上記メッセージ右の「詳細」ボタンは、印刷ジョブ情報や排出先の詳細情報を表示するためのボタンである。「詳細」ボタンは、表示しなくてもよい。
【００６９】
一方、上記印刷ジョブの文書が機密文書ではない場合（Ｓ１０３：ＮＯ）、断裁処理を実施する（ステップＳ１０７）。断裁処理については上述のステップＳ１０４の断裁処理と同じであるので、説明を省略する。
【００７０】
次に、断裁屑を通常断裁屑収容部へ排出する（ステップＳ１０８）。上記印刷ジョブの文書は機密文書ではないので、用紙Ｓが断裁されたときに発生する断裁屑には機密情報が含まれない。本実施形態では、用紙Ｓが断裁部１６１によって断裁されたときに発生する断裁屑に機密情報が含まれないと判断された場合、断裁屑を他の排出先としての通常断裁屑収容部１６２２に排出する。
【００７１】
そして、制御部１７は、以上のステップＳ１０７およびステップＳ１０８の処理を上記文書の１ページから最終ページまで繰り返したのち、処理を終了する。なお、図８Ｂに示すように、コピーモードである場合、制御部１７は、操作表示部１５を制御してコピーが終了した旨をタッチパネルディスプレイの画面に表示させてもよい。
【００７２】
図５に示すフローチャートで説明した用紙処理方法では、まず、印刷ジョブを受信し、解析する。そして、印刷ジョブの文書が機密文書か否かを判断する。次に、用紙Ｓの辺を断裁する。断裁されたときに発生する断裁屑に機密情報が含まれると判断された場合、上記断裁屑を機密断裁屑収容部１６２１に排出し、断裁屑に機密情報が含まれないと判断された場合、上記断裁屑を通常断裁屑収容部１６２２に排出するように制御する。上記用紙Ｓの断裁処理および断裁屑の排出処理は、上記文書の全ページについて実施される。
【００７３】
以上のとおり、説明した第１の実施形態の用紙処理装置、用紙処理方法および制御プログラムは、下記の効果を奏する。
【００７４】
機密情報を含まない断裁屑の排出先である通常断裁屑収容部１６２２と異なる機密断裁屑収容部１６２１に機密情報を含む断裁屑が排出されるので、ユーザーは機密情報を含む断裁屑ＳＣ１を持ち帰ることができる。その結果、機密情報の漏えいを未然に防止できる。
【００７５】
また、機密情報を含む断裁屑が機密断裁屑収容部に排出された場合に、機密断裁屑収容部に断裁屑ＳＣ１が排出された旨が表示される。したがって、ユーザーは機密情報を含む断裁屑ＳＣ１が発生したことと、断裁屑ＳＣ１の排出先とを知ることができるので、ユーザーは機密情報を含む断裁屑ＳＣ１を持ち帰ることができる。その結果、機密情報の漏えいを未然に防止できる。
【００７６】
（第２の実施形態）
第１の実施形態では、印刷ジョブ情報の「機密文書」パラメーターが「オン」か、あるいは「オフ」かに基づいて、断裁屑に機密情報が含まれるか否かを判断する場合について説明した。一方、第２の実施形態では、印刷ジョブに含まれる「機密モジュール情報」に基づいて、断裁屑に機密情報が含まれるか否かを判断する場合について説明する。なお、以下では、説明の重複を避けるため、第１の実施形態と同じ構成については説明を省略する。
【００７７】
図９Ａ〜図１１を参照して、第２の実施形態の用紙処理方法について説明する。図９Ａおよび図９Ｂは、本実施形態における用紙処理方法を説明するためのフローチャートである。また、図１０は本実施形態の機密モジュール情報について説明するための模式図である。図１１は、本実施形態の印刷ページ情報、当該印刷ページ情報に対応する印刷画像データおよび機密モジュール情報の一例を示す図表である。なお、図１０および図１１の機密モジュール情報において、斜線の領域は機密情報が含まれていることを示す。
【００７８】
図９Ａに示すように、まず、印刷ジョブを受信したか否かを判断する（ステップＳ２０１）。印刷ジョブを受信していない場合（ステップＳ２０１：ＮＯ）、印刷ジョブを受信するまで待機する。
【００７９】
一方、印刷ジョブを受信した場合（ステップＳ２０１：ＹＥＳ）、印刷ジョブ情報を解析する（ステップＳ２０２）。印刷ジョブ情報の解析の詳細については、第１の実施形態のステップＳ１０２と同様であるので、説明を省略する。
【００８０】
次に、印刷ページ情報を解析する（ステップＳ２０３）。図１０および図１１に示すように、本実施形態の「機密モジュール情報」には、機密情報を含む部分（以下、「機密モジュール」と称する）がページごとに示されている。機密モジュール情報は、たとえばユーザーがクライアントＰＣ上のアプリケーションソフトウェアで文書を作成する際に機密情報とすべき記載（たとえば住所、氏名、ファイル名、ユーザー名など）や画像などを指定することにより、プリンタードライバーのプロパティに設定されうる。そして、プリンタードライバーは、指定された記載や画像などから機密情報が存在する領域を特定して印刷ジョブに機密モジュール情報として出力する。なお、図１１に示す機密モジュール情報の例では、説明の都合上、機密モジュールが複数のページで同じ配置となっている。機密モジュールは、ページごとに異なる配置にすることも可能である。
【００８１】
制御部１７は、機密モジュール情報および印刷ジョブ情報の「三方断裁幅（１）〜（３）」を使用して、用紙Ｓ上の断裁屑となる領域に機密モジュールが含まれるか否かを算出する。すなわち、図１０に示すように、断裁される三方断裁幅（１）〜（３）の範囲が機密モジュールの領域と重なるか否かを算出する。
【００８２】
次に、断裁屑上に機密モジュールがあるか否かを判断する（ステップＳ２０４）。図１０に示す例では、断裁される範囲に機密モジュールが重なっているので、用紙Ｓ上の断裁屑となる領域に機密モジュールがあると判断される。
【００８３】
断裁屑上に機密モジュールがあると判断される場合（ステップＳ２０４：ＹＥＳ）、断裁処理を実施する（ステップＳ２０５）。断裁処理については、第１の実施形態のステップＳ１０４の処理と同様であるので、説明を省略する。
【００８４】
次に、断裁屑を機密断裁屑収容部へ排出する（ステップＳ２０６）。断裁される範囲に機密モジュールが重なっているので、用紙Ｓが断裁部１６１によって断裁されたときに発生する断裁屑には機密情報が含まれる。本実施形態では、用紙Ｓが断裁されたときに発生する断裁屑に機密情報が含まれると判断された場合、断裁屑を所定の排出先としての機密断裁屑収容部１６２１に排出する。なお、図１０に示す例では、用紙Ｓがトリムされたときに発生する断裁屑には機密情報は含まれない。本実施形態では、トリムによる断裁屑およびスリッターによる断裁屑のいずれかに機密情報が含まれる場合、トリムおよびスリッターの双方による断裁屑を機密断裁屑収容部１６２１へ排出する。しかしながら、機密断裁屑収容部１６２１に排出する断裁屑を削減する見地から、機密情報が含まれない断裁屑については通常断裁屑収容部１６２２へ排出するように構成してもよい。すなわち、１ページの中で断裁屑に機密情報が含まれるか否かに応じて、機密断裁屑収容部１６２１に排出する断裁屑と通常断裁屑収容部１６２２へ排出する断裁屑とに分別してもよい。
【００８５】
次に、機密断裁屑排出フラグＳに１を設定する（ステップＳ２０７）。制御部１７は、機密断裁屑排出フラグＳに１を設定する。機密断裁屑排出フラグＳは、特定の印刷ジョブにおいて機密断裁屑収容部１６２１に断裁屑が排出されたかどうかを示すフラグであり、Ｓが０（ゼロ）のとき排出されていないことを示し、Ｓが１のとき排出されたことを示す。なお、デフォルトは０（ゼロ）である。
【００８６】
一方、断裁屑上に機密モジュールがないと判断される場合（ステップＳ２０４：ＮＯ）、断裁処理を実施する（ステップＳ２０８）。断裁処理については、第１の実施形態のステップＳ１０４の処理と同様であるので、説明を省略する。
【００８７】
次に、断裁屑を通常断裁屑収容部へ排出する（ステップＳ２０９）。断裁される範囲に機密モジュールが重なっていないので、用紙Ｓが断裁部１６１によって断裁されたときに発生する断裁屑には機密情報が含まれない。本実施形態では、用紙Ｓが断裁されたときに発生する断裁屑に機密情報が含まれないと判断された場合、断裁屑を他の排出先としての通常断裁屑収容部１６２２に排出する。
【００８８】
そして、制御部１７は、以上のステップＳ２０３〜ステップＳ２０９の処理を上記文書の１ページから最終ページまで繰り返す。
【００８９】
次に、図９Ｂに示すように、機密断裁屑排出フラグＳが１か否かを判断する（ステップＳ２１０）。機密断裁屑排出フラグＳが１である場合（ステップＳ２１０：ＹＥＳ）、機密断裁屑収容部１６２１に断裁屑が排出された旨を表示する（ステップＳ２１１）。機密断裁屑収容部１６２１に断裁屑ＳＣ１が排出された旨を表示する処理については、第１の実施形態のステップＳ１０６の処理と同様であるので、説明を省略する。
【００９０】
次に、機密断裁屑排出フラグＳに０（ゼロ）を設定する（ステップＳ２１２）。そして、処理を終了する。
【００９１】
図９Ａおよび図９Ｂに示すフローチャートで説明した用紙処理方法では、まず、印刷ジョブを受信し、解析する。そして、断裁屑となる用紙Ｓ上に機密モジュールがあるか否かを判断する。次に、用紙Ｓの辺を断裁する。断裁されたときに発生する断裁屑に機密情報が含まれると判断された場合、上記断裁屑を機密断裁屑収容部１６２１に排出し、断裁屑に機密情報が含まれないと判断された場合、上記断裁屑を通常断裁屑収容部１６２２に排出するように制御する。上記用紙の断裁処理および断裁屑の排出処理は、文書の全ページについて実施される。
【００９２】
以上のとおり、説明した第２の実施形態の用紙処理装置、用紙処理方法および制御プログラムは、下記の効果を奏する。
【００９３】
制御部１７は、用紙Ｓが断裁されたときに発生する断裁屑となる用紙Ｓ上に機密モジュールがあるか否かを上記文書のページごとに判断するので、断裁屑に機密情報が含まれるか否かを上記ページごとに判断できる。したがって、文書の一部のページのみに機密情報が含まれる場合、機密断裁屑収容部１６２１に排出される断裁屑ＳＣ１の量を削減できる。
【００９４】
（第３の実施形態）
第１の実施形態では、機密情報を含む断裁屑がそのまま機密断裁屑収容部に排出される場合について説明した。一方、第３の実施形態では、機密情報を含む断裁屑がシュレッダー部によってさらに細かく裁断されてから機密断裁屑収容部に排出される場合について説明する。なお、以下では、説明の重複を避けるため、第１の実施形態と同じ構成については説明を省略する。
【００９５】
図１２Ａおよび図１２Ｂを参照して、第３の実施形態の用紙処理装置について説明する。図１２Ａは本実施形態の後処理部の概略ブロック図であり、図１２Ｂは図１２Ａに示す断裁部および断裁屑収容部の機能を説明するための模式図である。
【００９６】
図１２Ａおよび図１２Ｂに示すように、本実施形態では、断裁屑収容部１６２は、シュレッダー部１６２４をさらに備える。シュレッダー部１６２４は、機密断裁屑収容部１６２１の入口に設置されており、断裁部１６１によって断裁された断裁屑を、断裁部１６１が用紙Ｓの辺を断裁する方向と異なる方向にさらに細かく裁断し、シュレッダー屑ＳＳとして機密断裁屑収容部１６２１に排出する。シュレッダー部１６２４は、加工屑裁断手段として機能する。
【００９７】
機密断裁屑収容部１６２１のシュレッダー屑ＳＳは、シュレッダー部１６２４で裁断される前の断裁屑ＳＣ１に比べて小さいため、機密情報が読み取られにくい。したがって、機密情報の漏えいを確実に防止できる。ユーザーは、シュレッダー屑ＳＳから機密情報が読み取られないことを、機密断裁屑収容部１６２１を引き出してシュレッダー屑ＳＳを手に取って確認することができる。
【００９８】
以下、図１３を参照して、本実施形態の用紙処理方法について説明する。図１３は、本実施形態における用紙処理方法を説明するためのフローチャートである。本実施形態では、断裁屑ＳＣ１をシュレッダー部１６２４でさらに裁断するステップを有する点で第１の実施形態と異なる。これ以外の各ステップについては、第１の実施形態と同様であるので、説明を省略する。
【００９９】
本実施形態では、まず、印刷ジョブを受信し、解析する（ステップＳ３０１，Ｓ３０２）。次に、印刷ジョブの文書が機密文書であるか否かを判断し（ステップＳ３０３）、印刷ジョブの文書が機密文書である場合、用紙Ｓの辺を断裁する（ステップＳ３０４）。そして、発生した断裁屑ＳＣ１をさらに裁断し（ステップＳ３０５）、発生したシュレッダー屑ＳＳを機密断裁屑収容部１６２１に排出する（ステップＳ３０６）。最後に、機密断裁屑収容部にシュレッダー屑ＳＳが排出された旨を表示する（ステップＳ３０７）。一方、印刷ジョブの文書が機密文書ではない場合、用紙Ｓを断裁し（ステップＳ３０８）、発生した断裁屑ＳＣ２を通常断裁屑収容部１６２２に排出する（ステップＳ３０９）。
【０１００】
以上のとおり、説明した第３の実施形態の用紙処理装置、用紙処理方法および制御プログラムは、第１の実施形態の効果に加えて下記の効果を奏する。
【０１０１】
シュレッダー部１６２４で裁断されたシュレッダー屑ＳＳは、シュレッダー部１６２４で裁断される前の断裁屑ＳＣ１に比べて小さいため、機密情報が読み取られにくい。したがって、機密情報の漏えいを確実に防止できる。ユーザーは、シュレッダー屑ＳＳから機密情報が読み取られるおそれのないことを、機密断裁屑収容部１６２１を引き出してシュレッダー屑ＳＳを手に取って確認することができる。
【０１０２】
（第４の実施形態）
第４の実施形態は、印刷ジョブに含まれる機密モジュール情報に基づいて、断裁屑に機密情報が含まれるか否かを判断し、機密情報を含む断裁屑がシュレッダー部によってさらに細かく裁断されてから機密断裁屑収容部に排出される場合について説明する。なお、以下では、説明の重複を避けるため、第１〜第３の実施形態と同じ構成については説明を省略する。
【０１０３】
以下、図１４Ａおよび図１４Ｂを参照して、本発明の第４の実施形態の用紙処理方法について説明する。図１４Ａおよび図１４Ｂは、本実施形態における用紙処理方法を説明するためのフローチャートである。本実施形態では、断裁部１６１によって用紙Ｓを断裁することにより発生した断裁屑ＳＣ１をシュレッダー部１６２４でさらに裁断するステップを有する点で第２の実施形態と異なる。これ以外の点については、第２の実施形態と同様であるので、説明を省略する。
【０１０４】
本実施形態では、まず、印刷ジョブを受信し、解析する（ステップＳ４０１，Ｓ４０２）。次に、印刷ページを解析する（ステップＳ４０３）。そして、用紙Ｓ上の断裁屑となる領域に機密モジュールがあるか否かを判断する（ステップＳ４０４）。用紙Ｓ上の断裁屑となる領域に機密モジュールがある場合、用紙Ｓの辺を断裁し（ステップＳ４０５）、発生した断裁屑ＳＣ１をさらに裁断し（ステップＳ４０６）、発生したシュレッダー屑ＳＳを機密断裁屑収容部１６２１に排出する（ステップＳ４０７）。最後に、シュレッダー屑ＳＳが機密断裁屑収容部１６２１に排出された旨が表示される（ステップＳ４１２）。一方、用紙Ｓ上の断裁屑となる領域に機密モジュールがない場合、用紙Ｓの辺を断裁し（ステップＳ４０９）、発生した断裁屑ＳＣ２を通常断裁屑収容部１６２２に排出する（ステップＳ４１０）。
【０１０５】
以上のとおり、説明した第４の実施形態の用紙処理装置、用紙処理方法および制御プログラムは、第２の実施形態の効果に加えて下記の効果を奏する。
【０１０６】
シュレッダー部１６２４で裁断されたシュレッダー屑ＳＳは、シュレッダー部１６２４で裁断される前の断裁屑ＳＣ１に比べて小さいため、機密情報が読み取られにくい。したがって、機密情報の漏えいを確実に防止できる。ユーザーは、シュレッダー屑ＳＳから機密情報が読み取られるおそれのないことを、機密断裁屑収容部１６２１を引き出してシュレッダー屑ＳＳを手に取って確認することができる。
【０１０７】
以上のとおり、実施形態において、本発明の用紙処理装置、用紙処理方法および制御プログラムを説明した。しかしながら、本発明は、その技術思想の範囲内において当業者が適宜に追加、変形、および省略することができることはいうまでもない。
【０１０８】
たとえば、第１〜第４の実施形態では、加工手段として、用紙Ｓを断裁する断裁部を有する場合について説明した。しかしながら、本発明の加工手段は、断裁部に限定されない。たとえば、本発明は、加工手段として用紙Ｓにパンチ穴を開口する構成を有し、パンチによる加工屑に機密情報が含まれるか否かに応じて排出先を機密断裁屑収容部にするか、あるいは通常断裁屑収容部にするか判断してもよい。なお、パンチの種類としては、通常パンチ、マルチパンチ、リングパンチなどが挙げられる。
【０１０９】
また、第１〜第４の実施形態では、機密断裁屑収容部および通常断裁屑収容部が用紙処理装置の内部に設置されている場合について説明した。しかしながら、機密断裁屑収容部および／または通常断裁屑収容部は、用紙処理装置の外部に設置されていてもよい。
【０１１０】
また、第３および第４の実施形態では、機密情報を含む裁断屑をシュレッダー部でさらに裁断してから機密断裁屑収容部に排出し、機密断裁屑収容部にシュレッダー屑が排出された旨をタッチパネルディスプレイに表示することについて説明した。しかしながら、シュレッダー屑は、細かく裁断されて機密情報が読み取られにくくなっているので、機密断裁屑収容部にシュレッダー屑が排出された旨を表示しなくてもよい。
【０１１１】
また、第１〜第４の実施形態では、機密断裁屑収容部に断裁屑またはシュレッダー屑（機密断裁屑）が排出された旨が操作表示部のタッチパネルディスプレイに表示される場合について説明した。しかしながら、機密断裁屑収容部に断裁屑またはシュレッダー屑が排出された旨が他の報知手段、たとえばブザーによって警報音を鳴らしたり、スピーカーによって音声を出力したりすることなどによってユーザーに知らされてもよい。
【０１１２】
また、第１〜第４の実施形態では、印刷ジョブの文書の全ページについて１枚ずつ断裁および／または裁断（シュレッダー）する場合について説明した。しかしながら、断裁／裁断処理を一括して実施してもよい。
【０１１３】
また、第１〜第４の実施形態では、制御部がＣＰＵ、メモリ、およびＨＤＤで構成され、ＣＰＵが制御プログラムを実行する場合について説明した。しかしながら、本発明は、制御部がＦＰＧＡ（Ｆｉｅｌｄ−Ｐｒｏｇｒａｍｍａｂｌｅ  Ｇａｔｅ  Ａｒｒａｙ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハードウェアを使用して構成されてもよい。
【符号の説明】
【０１１４】
Ｅ  排出口、
Ｓ  用紙、
ＳＣ１，ＳＣ２  断裁屑、
ＳＥ１  製本された用紙束、
ＳＥ２  製本されていない用紙束、
ＳＳ  シュレッダー屑、
１  用紙処理装置、
１０  ＡＤＦ、
１１  画像読取装部、
１２  画像形成部、
１３  給紙部、
１４  用紙搬送部、
１５  操作表示部、
１６  後処理部、
１６１  断裁部、
１６２  断裁屑収容部、
１６２１  機密断裁屑収容部、
１６２２  通常断裁屑収容部、
１６２３  回収駆動部、
１６２４  シュレッダー部、
１６３  製本出力部、
１６４  サブ出力部、
１７  制御部。
【図１】
2015066652.tif 000003
【図２】
2015066652.tif 000004
【図３Ａ】
2015066652.tif 000005
【図３Ｂ】
2015066652.tif 000006
【図４】
2015066652.tif 000007
【図５】
2015066652.tif 000008
【図６Ａ】
2015066652.tif 000009
【図６Ｂ】
2015066652.tif 000010
【図７】
2015066652.tif 000011
【図８Ａ】
2015066652.tif 000012
【図８Ｂ】
2015066652.tif 000013
【図９Ａ】
2015066652.tif 000014
【図９Ｂ】
2015066652.tif 000015
【図１０】
2015066652.tif 000016
【図１１】
2015066652.tif 000017
【図１２Ａ】
2015066652.tif 000018
【図１２Ｂ】
2015066652.tif 000019
【図１３】
2015066652.tif 000020
【図１４Ａ】
2015066652.tif 000021
【図１４Ｂ】
2015066652.tif 000022